(57)【要約】【課題】空間において最も適切な対象物に合わせて空気調和機を運転することができる制御装置を提供する。【解決手段】制御装置は、端末検出部と、優先度管理部と、運転制御部と、を備える。前記端末検出部は、有効範囲内に端末が存在するか否かを判定する。前記優先度管理部は、前記端末検出部が前記有効範囲内に存在すると判定した端末のうち、最も優先度の高い端末を選択する。前記運転制御部は、前記優先度管理部が選択した最も優先度の高い端末に関連付けられた空調運転用情報に基づいて、空気調和機の運転を制御する。【選択図】図３
2017150702.tif 000002
【特許請求の範囲】
【請求項１】
有効範囲内に端末が存在するか否かを判定する端末検出部と、
前記端末検出部が前記有効範囲内に存在すると判定した端末のうち、最も優先度の高い端末を選択する優先度管理部と、
前記優先度管理部が選択した最も優先度の高い端末に関連付けられた空調運転用情報に基づいて、空気調和機の運転を制御する運転制御部と、
を備える制御装置。
【請求項２】
前記端末それぞれに関連付けられた前記空調運転用情報に含まれる嗜好情報を記憶する記憶部、
を更に備え、
前記運転制御部は、
前記記憶部が記憶する前記嗜好情報のうち、前記優先度管理部が選択した最も優先度の高い端末に関連付けられた前記嗜好情報に基づいて、空気調和機の運転を制御する、
請求項１に記載の制御装置。
【請求項３】
前記端末の位置を取得する位置取得部、
を備え、
前記優先度管理部は、
前記端末検出部が前記有効範囲内に存在すると判定した端末のうち、２番目に優先度の高い端末を更に選択し、
前記位置取得部は、
優先度管理部が選択した最も優先度の高い端末と２番目に優先度の高い端末のそれぞれの位置を取得し、
前記運転制御部は、
前記位置取得部が取得した最も優先度の高い端末と２番目に優先度の高い端末のそれぞれの位置どうしが所定の判定しきい値を示す距離以上離れている場合に、前記記憶部が記憶する最も優先度の高い端末に関連付けられた前記嗜好情報に基づいて前記最も優先度の高い端末の位置に対して前記空気調和機の運転を制御し、２番目に優先度の高い端末に関連付けられた前記嗜好情報に基づいて前記２番目に優先度の高い端末の位置に対して前記空気調和機の運転を制御する、
請求項２に記載の制御装置。
【請求項４】
前記位置取得部が所定時間において取得した前記端末の位置の変位に基づいて、変動量を算出する変動量判定部、
を備え、
前記運転制御部は、
前記変動量判定部が算出した変動量が所定の判定しきい値を示す変動量未満であると判定した場合、前記最も優先度の高い端末と前記２番目に優先度の高い端末のそれぞれの位置に対する前記空気調和機の運転の制御を行わずに、所定の判定しきい値を示す変動量未満であると判定した端末に関連付けられた前記嗜好情報に基づいて、所定の判定しきい値を示す変動量未満であると判定した端末の位置に対して、前記空気調和機の運転を制御する、
請求項３に記載の制御装置。
【請求項５】
請求項１から請求項４の何れかの制御装置と、
識別情報を有する複数の端末と、
を備える空気調和システム。
【請求項６】
前記識別情報それぞれの優先度、及び、前記識別情報それぞれに関連付けられた嗜好情報を記憶部に記憶させるデータ書き込み装置、
を更に備える請求項５に記載の空気調和システム。
【請求項７】
有効範囲内に端末が存在するか否かを判定すること、
前記有効範囲内に存在すると判定された端末のうち、最も優先度の高い端末を選択すること、
選択された最も優先度の高い端末に関連付けられた空調運転用情報に基づいて、空気調和機の運転を制御すること、
を含む制御方法。
【請求項８】
コンピュータに、
有効範囲内に端末が存在するか否かを判定すること、
前記有効範囲内に存在すると判定された端末のうち、最も優先度の高い端末を選択すること、
選択された最も優先度の高い端末に関連付けられた空調運転用情報に基づいて、空気調和機の運転を制御すること、
を実行させるプログラム。
【発明の詳細な説明】
【技術分野】
【０００１】
本発明は、制御装置、空気調和システム、制御方法及びプログラムに関する。
【背景技術】
【０００２】
空気調和機は、商業施設、一般家庭、学校などさまざまな場所で使用されている。
特許文献１、２には、関連する技術として、空気調和機の運転の制御に関する技術が記載されている。
【先行技術文献】
【特許文献】
【０００３】
【特許文献１】特開２００７−１３２５８１号公報
【特許文献２】特開２０１０−２６６１８８号公報
【発明の概要】
【発明が解決しようとする課題】
【０００４】
ところで、室内において快適に感じる温度は、暑がりや寒がりなど個人それぞれで異なる。また、室内において快適に感じる温度は、同一人物であってもお風呂上り、運動直後、真冬の帰宅直後などその時々で異なる。
そのため、空間において最も適切な対象物に合わせて空気調和機を運転することのできる技術が求められていた。
【０００５】
本発明は、上記の課題を解決することのできる制御装置、空気調和システム、制御方法及びプログラムを提供することを目的としている。
【課題を解決するための手段】
【０００６】
本発明の第１の態様によれば、制御装置は、有効範囲内に端末が存在するか否かを判定する端末検出部と、前記端末検出部が前記有効範囲内に存在すると判定した端末のうち、最も優先度の高い端末を選択する優先度管理部と、前記優先度管理部が選択した最も優先度の高い端末に関連付けられた空調運転用情報に基づいて、空気調和機の運転を制御する運転制御部と、を備える。
【０００７】
本発明の第２の態様によれば、第１の態様における制御装置は、前記端末それぞれに関連付けられた前記空調運転用情報に含まれる嗜好情報を記憶する記憶部、を更に備え、前記運転制御部は、前記記憶部が記憶する前記嗜好情報のうち、前記優先度管理部が選択した最も優先度の高い端末に関連付けられた前記嗜好情報に基づいて、空気調和機の運転を制御してもよい。
【０００８】
本発明の第３の態様によれば、第２の態様における制御装置は、前記端末の位置を取得する位置取得部、を備え、前記優先度管理部は、前記端末検出部が前記有効範囲内に存在すると判定した端末のうち、２番目に優先度の高い端末を更に選択し、前記位置取得部は、優先度管理部が選択した最も優先度の高い端末と２番目に優先度の高い端末のそれぞれの位置を取得し、前記運転制御部は、前記位置取得部が取得した最も優先度の高い端末と２番目に優先度の高い端末のそれぞれの位置どうしが所定の判定しきい値を示す距離以上離れている場合に、前記記憶部が記憶する最も優先度の高い端末に関連付けられた前記嗜好情報に基づいて前記最も優先度の高い端末の位置に対して前記空気調和機の運転を制御し、２番目に優先度の高い端末に関連付けられた前記嗜好情報に基づいて前記２番目に優先度の高い端末の位置に対して前記空気調和機の運転を制御してもよい。
【０００９】
本発明の第４の態様によれば、第３の態様における制御装置は、前記位置取得部が所定時間において取得した前記端末の位置の変位に基づいて、変動量を算出する変動量判定部、を備え、前記運転制御部は、前記変動量判定部が算出した変動量が所定の判定しきい値を示す変動量未満であると判定した場合、前記最も優先度の高い端末と前記２番目に優先度の高い端末のそれぞれの位置に対する前記空気調和機の運転の制御を行わずに、所定の判定しきい値を示す変動量未満であると判定した端末に関連付けられた前記嗜好情報に基づいて、所定の判定しきい値を示す変動量未満であると判定した端末の位置に対して、前記空気調和機の運転を制御してもよい。
【００１０】
本発明の第５の態様によれば、空気調和システムは、第１の態様から第４の態様の何れかにおける制御装置と、識別情報を有する複数の端末と、を備える。
【００１１】
本発明の第６の態様によれば、第５の態様における空気調和システムは、前記識別情報それぞれの優先度、及び、前記識別情報それぞれに関連付けられた嗜好情報を記憶部に記憶させるデータ書き込み装置、を更に備えていてもよい。
【００１２】
本発明の第７の態様によれば、制御方法は、有効範囲内に端末が存在するか否かを判定すること、前記有効範囲内に存在すると判定された端末のうち、最も優先度の高い端末を選択すること、選択された最も優先度の高い端末に関連付けられた空調運転用情報に基づいて、空気調和機の運転を制御すること、を含む。
【００１３】
本発明の第８の態様によれば、プログラムは、コンピュータに、有効範囲内に端末が存在するか否かを判定すること、前記有効範囲内に存在すると判定された端末のうち、最も優先度の高い端末を選択すること、選択された最も優先度の高い端末に関連付けられた空調運転用情報に基づいて、空気調和機の運転を制御すること、を実行させる。
【発明の効果】
【００１４】
本発明の実施形態による制御装置、空気調和システム、制御方法及びプログラムによれば、空間において最も適切な対象物に合わせて空気調和機を運転することができる。
【図面の簡単な説明】
【００１５】
【図１】本発明の第一の実施形態による空気調和システムの構成を示す図である。
【図２】本発明の第一の実施形態によるデータ書き込み装置の構成を示す図である。
【図３】本発明の第一の実施形態による制御装置の構成を示す図である。
【図４】本発明の第一の実施形態における第１データテーブルを示す図である。
【図５】本発明の第一の実施形態における第２データテーブルを示す図である。
【図６】本発明の第一の実施形態における第３データテーブルを示す図である。
【図７】本発明の第一の実施形態によるウェアラブル端末の構成を示す図である。
【図８】本発明の第一の実施形態による空気調和システムの処理フローを示す図である。
【図９】本発明の第二の実施形態による空気調和システムの構成を示す図である。
【図１０】本発明の第二の実施形態による制御装置の構成を示す図である。
【図１１】本発明の第二の実施形態による空気調和システムの処理フローを示す図である。
【図１２】本発明の第三の実施形態による制御装置の構成を示す図である。
【図１３】本発明の第三の実施形態による空気調和システムの処理フローを示す図である。
【発明を実施するための形態】
【００１６】
＜第一の実施形態＞
以下、本発明の第一の実施形態による空気調和システムの構成について説明する。
本発明の第一の実施形態による空気調和システム１は、図１に示すように、データ書き込み装置１０と、空気調和機２０と、第１ウェアラブル端末３０ａと、第２ウェアラブル端末３０ｂと、第３ウェアラブル端末３０ｃと、を備える。
なお、第１ウェアラブル端末３０ａ、第２ウェアラブル端末３０ｂ、第３ウェアラブル端末３０ｃを総称して、ウェアラブル端末３０と呼ぶ。
【００１７】
データ書き込み装置１０は、図２に示すように、通信部１０１と、空気調和機設定部１０２と、記憶部１０３と、を備える。
データ書き込み装置１０は、例えば、コンピュータである。
【００１８】
通信部１０１は、空気調和機２０と通信を行う。
空気調和機設定部１０２は、空気調和機２０とウェアラブル端末３０との間の通信に使用するアプリケーションプログラムＡＰを通信部１０１を介して後述する記憶部２０５に書き込む。アプリケーションプログラムＡＰは、個人の好みに合った運転を空気調和機２０にさせる嗜好情報を記憶部２０５に書き込むことを実行させる。
【００１９】
記憶部１０３は、データ書き込み装置１０が行う処理に必要な種々の情報を記憶する。
例えば、記憶部１０３は、空気調和機２０とウェアラブル端末３０との間の通信、空気調和機２０における処理などに使用するアプリケーションプログラムＡＰを記憶する。
【００２０】
空気調和機２０は、制御装置２００を備える。
制御装置２００は、図３に示すように、通信部２０１と、端末検出部２０２と、優先度管理部２０３と、運転制御部２０４と、記憶部２０５と、を備える。
【００２１】
通信部２０１は、データ書き込み装置１０、ウェアラブル端末３０のそれぞれと通信を行う。
【００２２】
端末検出部２０２は、有効範囲内にウェアラブル端末３０が存在するか否かを判定する。
【００２３】
優先度管理部２０３は、端末検出部２０２が有効範囲内に存在すると判定したウェアラブル端末３０のうち、最も優先度の高いウェアラブル端末３０を選択する。
【００２４】
運転制御部２０４は、優先度管理部２０３が選択した最も優先度の高いウェアラブル端末３０に関連付けられた空調運転用情報に基づいて、空気調和機２０の運転を制御する。
具体的には、運転制御部２０４は、ウェアラブル端末３０を身に着けているユーザの状態情報（温度（体温または周囲温度）、脈拍数、呼吸数などのそれぞれ、または、それらの組み合わせ）に基づいて、空気調和機２０の運転を制御する。また、運転制御部２０４は、後述する記憶部２０５が記憶する嗜好情報のうち、優先度管理部２０３が選択した最も優先度の高い端末に関連付けられた制御パターンに基づいて、空気調和機２０の運転を制御する。嗜好情報は、例えば、ウェアラブル端末３０を身に着けているユーザの好み（風量の強め・弱め、温度の低め・高めなど）を示す情報である。ユーザの状態情報、嗜好情報のそれぞれは、空調運転用情報の例である。
【００２５】
記憶部２０５は、空気調和機２０が行う処理に必要な種々の情報を記憶する。
例えば、記憶部２０５は、アプリケーションプログラムＡＰを記憶する。
また、記憶部２０５は、図４に示すように、ウェアラブル端末３０それぞれの優先度と、ウェアラブル端末３０それぞれの識別情報と、識別情報のそれぞれに対応するウェアラブル端末３０との対応関係を示す第１データテーブルＴＢＬ１を記憶する。
また、記憶部２０５は、図５に示すように、ウェアラブル端末３０それぞれ識別情報と識別情報のそれぞれに対応するウェアラブル端末３０の嗜好情報との対応関係を示す第２データテーブルＴＢＬ２を記憶する。
また、記憶部２０５は、図６に示すように、ユーザの状態情報と、空気調和機２０を運転するときの基準となる基準温度との対応関係を示す第３データテーブルＴＢＬ３を記憶する。具体的には、基準温度を周囲温度に基づいて決定する場合には、例えば、周囲温度から２度減算した温度を基準温度とする。また、具体的には、基準温度を心拍数に基づいて決定する場合には、例えば、心拍数が７０回以上の場合に基準温度を２５度にし、心拍数が６９回以下の場合に基準温度を２７度にする。また、具体的には、基準温度を呼吸数に基づいて決定する場合には、例えば、呼吸数が２０回以上の場合に基準温度を２５度にし、呼吸数が１９回以下の場合に基準温度を２７度にする。また、具体的には、基準温度を体温、脈拍数、呼吸数に基づいて決定する場合には、例えば、体温から１０度減じた温度に対して心拍数が７０回以上の場合に１度加算し、心拍数が６９回以下の場合に１度減算し、さらに、呼吸数が２０回以上の場合に１度加算し、呼吸数が１９回以下の場合に１度減算する。
【００２６】
第１ウェアラブル端末３０ａは、図７に示すように、第１通信部３０１ａと、第１状態情報取得部３０２ａと、第１記憶部３０３ａと、を備える。
第２ウェアラブル端末３０ｂは、図７に示すように、第２通信部３０１ｂと、第２状態情報取得部３０２ｂと、第２記憶部３０３ｂと、を備える。
第３ウェアラブル端末３０ｃは、図７に示すように、第３通信部３０１ｃと、第３状態情報取得部３０２ｃと、第３記憶部３０３ｃと、を備える。
なお、第１通信部３０１ａ、第２通信部３０１ｂ、第３通信部３０１ｃを総称して、通信部３０１と呼ぶ。
また、第１状態情報取得部３０２ａ、第２状態情報取得部３０２ｂ、第３状態情報取得部３０２ｃを総称して、状態情報取得部３０２と呼ぶ。
また、第１記憶部３０３ａ、第２記憶部３０３ｂ、第３記憶部３０３ｃを総称して、記憶部３０３と呼ぶ。
【００２７】
通信部３０１は、空気調和機２０と通信を行う。
状態情報取得部３０２は、温度取得部３０２１と、心拍数取得部３０２２と、呼吸数取得部３０２３と、を含む。
【００２８】
温度取得部３０２１は、ウェアラブル端末３０の周囲温度、または、ウェアラブル端末３０を身に着けているユーザの体温を取得する。
【００２９】
心拍数取得部３０２２は、ウェアラブル端末３０を身に着けているユーザの心拍数を取得する。
【００３０】
呼吸数取得部３０２３は、ウェアラブル端末３０を身に着けているユーザの呼吸数を取得する。
【００３１】
記憶部３０３は、ウェアラブル端末３０が行う処理に必要な種々の情報を記憶する。
例えば、記憶部３０３は、自身が備えられたウェアラブル端末３０の識別情報を記憶する。具体的には、例えば、第１記憶部３０３ａは、第１ウェアラブル端末３０ａの識別情報ＩＤａを記憶する。また、第２記憶部３０３ｂは、第２ウェアラブル端末３０ｂの識別情報ＩＤｂを記憶する。同様に、第３記憶部３０３ｃは、第３ウェアラブル端末３０ｃの識別情報ＩＤｃを記憶する。
【００３２】
本発明の第一の実施形態による空気調和システム１の処理について説明する。
ここでは、図８に示す空気調和システム１の処理フローについて説明する。
なお、ウェアラブル端末３０における優先度は、優先度の高い順に、第１ウェアラブル端末３０ａ、第２ウェアラブル端末３０ｂ、第３ウェアラブル端末３０ｃであるものとする。
また、ユーザＡが第１ウェアラブル端末３０ａを、ユーザＢが第２ウェアラブル端末３０ｂを、ユーザＣが第３ウェアラブル端末３０ｃをそれぞれに身に着けており、空気調和機２０が備えられた室内にユーザＡ、Ｂ、Ｃがいるものとする。なお、ユーザＡ、Ｂ、Ｃのそれぞれは、子供（男子）、成人（男性）、老人（男性）、子供（女子）、成人（女性）、老人（女性）の何れかである。
【００３３】
空気調和機設定部１０２は、空気調和機２０とウェアラブル端末３０との間の通信に使用するアプリケーションプログラムＡＰを通信部１０１を介して記憶部２０５に書き込む（ステップＳ１）。
【００３４】
ウェアラブル端末３０のそれぞれは、ユーザの状態情報を取得する（ステップＳ２）。
具体的には、第１ウェアラブル端末３０ａは、ユーザＡの状態情報Ｉａを取得する。また、第２ウェアラブル端末３０ｂは、ユーザＢの状態情報Ｉｂを取得する。また、第３ウェアラブル端末３０ｃは、ユーザＣの状態情報Ｉｃを取得する。
【００３５】
ウェアラブル端末３０のそれぞれは、取得したユーザの状態情報と、記憶部３０３が記憶するウェアラブル端末３０の識別情報とを自身の外部に送信する（ステップＳ３）。
具体的には、第１ウェアラブル端末３０ａは、取得した状態情報Ｉａと、第１記憶部３０３ａが記憶する第１ウェアラブル端末３０ａの識別情報ＩＤａとを空気調和機２０に送信する。また、第２ウェアラブル端末３０ｂは、取得した状態情報Ｉｂと、第２記憶部３０３ｂが記憶する第２ウェアラブル端末３０ｂの識別情報ＩＤｂとを空気調和機２０に送信する。また、第３ウェアラブル端末３０ｃは、取得した状態情報Ｉｃと、第３記憶部３０３ｃが記憶する第３ウェアラブル端末３０ｃの識別情報ＩＤｃとを空気調和機２０に送信する。
【００３６】
端末検出部２０２は、有効範囲内にウェアラブル端末３０が存在するか否かを判定する（ステップＳ４）。
【００３７】
例えば、端末検出部２０２は、ウェアラブル端末３０から通信部２０１を介して、ユーザの状態情報とウェアラブル端末３０の識別情報とを受信した場合、有効範囲内にウェアラブル端末３０が存在すると判定する。
具体的には、端末検出部２０２は、通信部２０１を介して、ユーザＡの状態情報Ｉａと第１ウェアラブル端末３０ａの識別情報ＩＤａとを受信した場合、有効範囲内に第１ウェアラブル端末３０ａが存在すると判定する。また、端末検出部２０２は、通信部２０１を介して、ユーザＢの状態情報Ｉｂと第２ウェアラブル端末３０ｂの識別情報ＩＤｂとを受信した場合、有効範囲内に第２ウェアラブル端末３０ｂが存在すると判定する。同様に、端末検出部２０２は、通信部２０１を介して、ユーザＣの状態情報Ｉｃと第３ウェアラブル端末３０ｃの識別情報ＩＤｃとを受信した場合、有効範囲内に第３ウェアラブル端末３０ｃが存在すると判定する。
【００３８】
また、例えば、端末検出部２０２は、ウェアラブル端末３０から通信部２０１を介して、ユーザの状態情報とウェアラブル端末３０の識別情報とを受信しない場合、有効範囲内にウェアラブル端末３０が存在しないと判定する。
具体的には、端末検出部２０２は、通信部２０１を介して、ユーザＡの状態情報Ｉａと第１ウェアラブル端末３０ａの識別情報ＩＤａとを受信しない場合、有効範囲内に第１ウェアラブル端末３０ａが存在しないと判定する。また、端末検出部２０２は、通信部２０１を介して、ユーザＢの状態情報Ｉｂと第２ウェアラブル端末３０ｂの識別情報ＩＤｂとを受信しない場合、有効範囲内に第２ウェアラブル端末３０ｂが存在しないと判定する。同様に、端末検出部２０２は、通信部２０１を介して、ユーザＣの状態情報Ｉｃと第３ウェアラブル端末３０ｃの識別情報ＩＤｃとを受信しない場合、有効範囲内に第３ウェアラブル端末３０ｃが存在しないと判定する。
【００３９】
端末検出部２０２は、有効範囲内にウェアラブル端末３０が存在しないと判定した場合（ステップＳ４においてＮＯ）、ステップＳ４の処理に戻す。
【００４０】
また、端末検出部２０２は、有効範囲内にウェアラブル端末３０が存在すると判定した場合（ステップＳ４においてＹＥＳ）、ウェアラブル端末３０の識別情報を優先度管理部２０３に送信する。
【００４１】
優先度管理部２０３は、端末検出部２０２からウェアラブル端末３０の識別情報を受信する。
【００４２】
優先度管理部２０３は、端末検出部２０２が有効範囲内に存在すると判定したウェアラブル端末３０のうち、最も優先度の高いウェアラブル端末３０を選択する（ステップＳ５）。
具体例として、端末検出部２０２が有効範囲内に第１ウェアラブル端末３０ａ、第２ウェアラブル端末３０ｂ、第３ウェアラブル端末３０ｃが存在すると判定した場合について説明する。優先度管理部２０３は、記憶部２０５から第１データテーブルＴＢＬ１を読み出す。優先度管理部２０３は、端末検出部２０２から受信した識別情報ＩＤａと第１データテーブルＴＢＬ１における識別情報とを順に比較し、識別情報ＩＤａの優先度を優先度１と特定する。また、優先度管理部２０３は、取得した識別情報ＩＤｂと第１データテーブルＴＢＬ１における識別情報とを順に比較し、識別情報ＩＤｂの優先度を優先度２と特定する。同様に、優先度管理部２０３は、取得した識別情報ＩＤｃと第１データテーブルＴＢＬ１における識別情報とを順に比較し、識別情報ＩＤｃの優先度を優先度３と特定する。優先度管理部２０３は、特定した優先度の中から最も優先度の高い優先度１に関連付けられた識別情報ＩＤａの第１ウェアラブル端末３０ａを選択する。
【００４３】
優先度管理部２０３は、選択した最も優先度の高いウェアラブル端末３０の識別情報を運転制御部２０４に送信する。
【００４４】
運転制御部２０４は、優先度管理部２０３から最も優先度の高いウェアラブル端末３０の識別情報を受信する。
【００４５】
運転制御部２０４は、優先度管理部２０３が選択した最も優先度の高いウェアラブル端末３０に関連付けられた空調運転用情報に基づいて、空気調和機２０の運転を制御する（ステップＳ６）。
具体的には、運転制御部２０４は、記憶部２０５から第２データテーブルＴＢＬ２を読み出す。運転制御部２０４は、最も優先度の高いウェアラブル端末３０の識別情報と、第２データテーブルＴＢＬ２における識別情報とを順に比較し、第２データテーブルＴＢＬ２において最も優先度の高いウェアラブル端末３０の識別情報を特定する。そして、運転制御部２０４は、第２データテーブルＴＢＬ２において特定した最も優先度の高いウェアラブル端末３０の識別情報に対応する運転パターンを特定する。また、運転制御部２０４は、最も優先度の高いウェアラブル端末３０の識別情報に対応するユーザの状態情報を端末検出部２０２から取得する。運転制御部２０４は、記憶部２０５から第３データテーブルＴＢＬ３を読み出す。優先度管理部２０３は、取得したユーザの状態情報と第３データテーブルＴＢＬ３におけるユーザの状態情報とを順に比較し、取得したユーザの状態情報に最も近いユーザの状態情報を第３データテーブルＴＢＬ３において特定する。そして、優先度管理部２０３は、第３データテーブルＴＢＬ３において特定したユーザの状態情報に対応する基準温度を特定する。運転制御部２０４は、特定した運転パターンと基準温度とに基づいて、基準温度に対して嗜好情報が示す風量の強め・弱め、温度の低め・高めなどの調整を行い、空気調和機２０の運転を制御する。
なお、上述の空気調和システム１の処理フローは、所定の時間間隔毎に検出されたウェアラブル端末３０に対して繰り返し行われる。
【００４６】
以上、本発明の第一の実施形態による空気調和システム１について説明した。
本発明の第一の実施形態による空気調和システム１において、制御装置２００は、端末検出部２０２と、優先度管理部２０３と、運転制御部２０４と、を備える。端末検出部２０２は、有効範囲内にウェアラブル端末３０が存在するか否かを判定する。優先度管理部２０３は、端末検出部２０２が有効範囲内に存在すると判定したウェアラブル端末３０のうち、最も優先度の高いウェアラブル端末３０を選択する。運転制御部２０４は、優先度管理部２０３が選択した最も優先度の高いウェアラブル端末３０に関連付けられた空調運転用情報に基づいて、空気調和機２０の運転を制御する。
このようにすれば、制御装置２００は、空間において最も適切な対象物に合わせて空気調和機２０を運転することができる。
【００４７】
＜第二の実施形態＞
本発明の第二の実施形態による空気調和システムの構成について説明する。
本発明の第二の実施形態による空気調和システム１は、図９に示すように、データ書き込み装置１０と、空気調和機２０と、第１ウェアラブル端末３０ａと、第２ウェアラブル端末３０ｂと、第３ウェアラブル端末３０ｃと、位置特定システム４０と、を備える。
【００４８】
本発明の第二の実施形態による空気調和機２０は、制御装置２００を備える。
ただし、本発明の第二の実施形態による空気調和機２０は、制御装置２００による制御に基づいて、有効範囲内における異なる２か所に対して異なる条件の運転を行う機能を備える。
【００４９】
本発明の第二の実施形態による制御装置２００は、図１０に示すように、通信部２０１と、端末検出部２０２と、優先度管理部２０３と、運転制御部２０４と、記憶部２０５と、位置取得部２０６と、を備える。
【００５０】
本発明の第二の実施形態による優先度管理部２０３は、更に、端末検出部２０２が有効範囲内に存在すると判定したウェアラブル端末３０のうち、２番目に優先度の高いウェアラブル端末３０を選択する。
【００５１】
運転制御部２０４は、更に、後述する位置取得部２０６が取得した最も優先度の高いウェアラブル端末３０と２番目に優先度の高いウェアラブル端末３０のそれぞれの位置どうしが所定の判定しきい値を示す距離以上離れている場合に、記憶部２０５が記憶する最も優先度の高いウェアラブル端末３０に関連付けられた制御パターンと２番目に優先度の高いウェアラブル端末３０に関連付けられた制御パターンとに基づいて、空気調和機２０の運転を制御する。
【００５２】
位置取得部２０６は、優先度管理部２０３が選択した最も優先度の高いウェアラブル端末３０の位置を取得する。なお、位置取得部２０６によるウェアラブル端末３０の位置の取得は、位置取得部２０６がウェアラブル端末３０の位置を外部から受信すること、位置取得部２０６がウェアラブル端末３０の位置を算出することを含む。
また、位置取得部２０６は、優先度管理部２０３が選択した２番目に優先度の高いウェアラブル端末３０の位置を取得する。
【００５３】
位置特定システム４０は、有効範囲内に存在するウェアラブル端末３０の位置を特定する。位置特定システム４０は、例えば、ＧＰＳ（Ｇｌｏｂａｌ  Ｐｏｓｉｔｉｏｎｉｎｇ  Ｓｙｓｔｅｍ）技術、近距離無線通信技術、ＩＭＥＳ（Ｉｎｄｏｏｒ  ＭＥｓｓａｇｉｎｇ  Ｓｙｓｔｅｍ）などの既存の技術を用いたシステムである。
【００５４】
本発明の第二の実施形態による空気調和システム１の処理について説明する。
ここでは、図１１に示す空気調和システム１の処理フローについて説明する。
なお、ウェアラブル端末３０における優先度は、優先度の高い順に、第１ウェアラブル端末３０ａ、第２ウェアラブル端末３０ｂ、第３ウェアラブル端末３０ｃであるものとする。
また、ユーザＡが第１ウェアラブル端末３０ａを、ユーザＢが第２ウェアラブル端末３０ｂを、ユーザＣが第３ウェアラブル端末３０ｃをそれぞれに身に着けており、空気調和機２０が備えられた室内にユーザＡ、Ｂ、Ｃがいるものとする。なお、ユーザＡ、Ｂ、Ｃのそれぞれは、子供（男子）、成人（男性）、老人（男性）、子供（女子）、成人（女性）、老人（女性）の何れかである。
【００５５】
空気調和システム１がステップＳ１〜ステップＳ５の処理を行った後、優先度管理部２０３は、端末検出部２０２が有効範囲内に存在すると判定したウェアラブル端末３０のうち、２番目に優先度の高いウェアラブル端末３０を選択する（ステップＳ７）。
具体例として、端末検出部２０２が有効範囲内に第１ウェアラブル端末３０ａ、第２ウェアラブル端末３０ｂ、第３ウェアラブル端末３０ｃが存在すると判定した場合について説明する。優先度管理部２０３は、記憶部２０５から第１データテーブルＴＢＬ１を読み出す。優先度管理部２０３は、端末検出部２０２から受信した識別情報ＩＤａと第１データテーブルＴＢＬ１における識別情報とを順に比較し、識別情報ＩＤａの優先度を優先度１と特定する。また、優先度管理部２０３は、取得した識別情報ＩＤｂと第１データテーブルＴＢＬ１における識別情報とを順に比較し、識別情報ＩＤｂの優先度を優先度２と特定する。同様に、優先度管理部２０３は、取得した識別情報ＩＤｃと第１データテーブルＴＢＬ１における識別情報とを順に比較し、識別情報ＩＤｃの優先度を優先度３と特定する。優先度管理部２０３は、特定した優先度の中から２番目に優先度の高い優先度２に関連付けられた識別情報ＩＤｂの第２ウェアラブル端末３０ｂを選択する。
【００５６】
優先度管理部２０３は、選択した最も優先度の高いウェアラブル端末３０の識別情報と２番目に優先度の高いウェアラブル端末３０の識別情報とを、運転制御部２０４と位置取得部２０６とに送信する。
【００５７】
運転制御部２０４、位置取得部２０６のそれぞれは、優先度管理部２０３から最も優先度の高いウェアラブル端末３０の識別情報と２番目に優先度の高いウェアラブル端末３０の識別情報とを受信する。
【００５８】
位置取得部２０６は、最も優先度の高いウェアラブル端末３０の識別情報と２番目に優先度の高いウェアラブル端末３０の識別情報とを位置特定システム４０に送信する（ステップＳ８）。
【００５９】
位置特定システム４０は、位置取得部２０６から最も優先度の高いウェアラブル端末３０の識別情報と２番目に優先度の高いウェアラブル端末３０の識別情報とを受信する（ステップＳ９）。
【００６０】
位置特定システム４０は、受信した最も優先度の高いウェアラブル端末３０の識別情報と２番目に優先度の高いウェアラブル端末３０の識別情報のそれぞれに対応するウェアラブル端末３０の有効範囲内における位置を特定する（ステップＳ１０）。
【００６１】
位置特定システム４０は、特定した最も優先度の高いウェアラブル端末３０の位置と２番目に優先度の高いウェアラブル端末３０の位置とを位置取得部２０６に送信する（ステップＳ１１）。
【００６２】
位置取得部２０６は、位置特定システム４０から最も優先度の高いウェアラブル端末３０の位置と２番目に優先度の高いウェアラブル端末３０の位置とを受信する（ステップＳ１２）。
【００６３】
位置取得部２０６は、位置特定システム４０から最も優先度の高いウェアラブル端末３０の位置と２番目に優先度の高いウェアラブル端末３０の位置とが所定の判定しきい値を示す距離以上離れているか否かを判定する（ステップＳ１３）。
【００６４】
例えば、位置取得部２０６は、記憶部２０５から所定の判定しきい値を示す距離を読み出す。位置取得部２０６は、最も優先度の高いウェアラブル端末３０の位置と２番目に優先度の高いウェアラブル端末３０の位置との距離を算出する。位置取得部２０６は、算出した距離と所定の判定しきい値を示す距離とを比較する。位置取得部２０６は、算出した距離が所定の判定しきい値を示す距離以上である場合に、最も優先度の高いウェアラブル端末３０の位置と２番目に優先度の高いウェアラブル端末３０の位置とが所定の判定しきい値を示す距離以上離れていると判定する。
【００６５】
また、例えば、位置取得部２０６は、算出した距離が所定の判定しきい値を示す距離未満である場合に、最も優先度の高いウェアラブル端末３０の位置と２番目に優先度の高いウェアラブル端末３０の位置とが所定の判定しきい値を示す距離以上は離れていないと判定する。
【００６６】
位置取得部２０６は、位置特定システム４０から最も優先度の高いウェアラブル端末３０の位置と２番目に優先度の高いウェアラブル端末３０の位置とが所定の判定しきい値を示す距離以上は離れていないと判定した場合（ステップＳ１３においてＮＯ）、ステップＳ１２の処理に戻す。
【００６７】
また、位置取得部２０６は、位置特定システム４０から最も優先度の高いウェアラブル端末３０の位置と２番目に優先度の高いウェアラブル端末３０の位置とが所定の判定しきい値を示す距離以上離れていると判定した場合（ステップＳ１３においてＹＥＳ）、位置特定システム４０から最も優先度の高いウェアラブル端末３０の位置と２番目に優先度の高いウェアラブル端末３０の位置とを運転制御部２０４に送信する。
【００６８】
運転制御部２０４は、位置取得部２０６から位置特定システム４０から最も優先度の高いウェアラブル端末３０の位置と２番目に優先度の高いウェアラブル端末３０の位置とを受信する。
【００６９】
運転制御部２０４は、最も優先度の高いウェアラブル端末３０に関連付けられた空調運転用情報に基づいて、最も優先度の高いウェアラブル端末３０の位置に対して空気調和機２０の運転を制御し、２番目に優先度の高いウェアラブル端末３０に関連付けられた空調運転用情報に基づいて、２番目に優先度の高いウェアラブル端末３０の位置に対して空気調和機２０の運転を制御する（ステップＳ１４）。
なお、上述の空気調和システム１の処理フローは、所定の時間間隔毎に検出されたウェアラブル端末３０に対して繰り返し行われる。
【００７０】
以上、本発明の第二の実施形態による空気調和システム１について説明した。
本発明の第二の実施形態による空気調和システム１において、空気調和機２０は、制御装置２００による制御に基づいて、有効範囲内における異なる２か所に対して異なる条件の運転を行う機能を備えている。位置特定システム４０は、有効範囲内に存在するウェアラブル端末３０の位置を特定する。優先度管理部２０３は、端末検出部２０２が有効範囲内に存在すると判定したウェアラブル端末３０のうち、２番目に優先度の高いウェアラブル端末３０を選択する。位置取得部２０６は、優先度管理部２０３が選択した最も優先度の高いウェアラブル端末３０の位置を取得する。また、位置取得部２０６は、優先度管理部２０３が選択した２番目に優先度の高いウェアラブル端末３０の位置を取得する。運転制御部２０４は、位置取得部２０６が取得した最も優先度の高いウェアラブル端末３０と２番目に優先度の高いウェアラブル端末３０のそれぞれの位置どうしが所定の判定しきい値を示す距離以上離れている場合に、記憶部２０５が記憶する最も優先度の高いウェアラブル端末３０に関連付けられた制御パターンと２番目に優先度の高いウェアラブル端末３０に関連付けられた制御パターンとに基づいて、空気調和機２０の運転を制御する。
このようにすれば、制御装置２００は、位置取得部２０６が取得した最も優先度の高いウェアラブル端末３０と２番目に優先度の高いウェアラブル端末３０それぞれの位置どうしが所定の判定しきい値を示す距離以上離れている場合に、記憶部２０５が記憶する最も優先度の高いウェアラブル端末３０に関連付けられた嗜好情報に基づいて最も優先度の高いウェアラブル端末３０の位置に対して空気調和機２０の運転を制御することができる。また、制御装置２００は、２番目に優先度の高いウェアラブル端末３０に関連付けられた嗜好情報に基づいて２番目に優先度の高いウェアラブル端末３０の位置に対して空気調和機２０の運転を制御することができる。
【００７１】
＜第三の実施形態＞
本発明の第三の実施形態による空気調和システムの構成について説明する。
本発明の第三の実施形態による空気調和システム１は、図９で示した本発明の第二の実施形態による空気調和システム１と同様に、データ書き込み装置１０と、空気調和機２０と、第１ウェアラブル端末３０ａと、第２ウェアラブル端末３０ｂと、第３ウェアラブル端末３０ｃと、位置特定システム４０と、を備える。
【００７２】
本発明の第三の実施形態による空気調和機２０は、制御装置２００を備える。
本発明の第三の実施形態による制御装置２００は、図１２に示すように、通信部２０１と、端末検出部２０２と、優先度管理部２０３と、運転制御部２０４と、記憶部２０５と、位置取得部２０６と、変動量判定部２０７と、を備える。
【００７３】
変動量判定部２０７は、位置取得部２０６が所定時間において取得したウェアラブル端末３０の位置の変位に基づいて、変動量を算出する。
変動量判定部２０７は、算出した変動量が所定の判定しきい値を示す変動量未満である場合には、算出した変動量に対応するウェアラブル端末３０を身に着けているユーザが寝たきり状態であると判定する。
【００７４】
本発明の第三の実施形態による空気調和システム１の処理について説明する。
ここでは、図１３に示す空気調和システム１の処理フローについて説明する。
なお、ウェアラブル端末３０における優先度は、優先度の高い順に、第１ウェアラブル端末３０ａ、第２ウェアラブル端末３０ｂ、第３ウェアラブル端末３０ｃであるものとする。
また、ユーザＡが第１ウェアラブル端末３０ａを、ユーザＢが第２ウェアラブル端末３０ｂを、ユーザＣが第３ウェアラブル端末３０ｃをそれぞれに身に着けており、空気調和機２０が備えられた室内にユーザＡ、Ｂ、Ｃがいるものとする。なお、ユーザＡ、Ｂ、Ｃのそれぞれは、子供（男子）、成人（男性）、老人（男性）、子供（女子）、成人（女性）、老人（女性）の何れかである。
【００７５】
空気調和システム１がステップＳ１〜ステップＳ５の処理を行った後、優先度管理部２０３は、端末検出部２０２が有効範囲内に存在すると判定したウェアラブル端末３０のうち、２番目以降の優先度の高いウェアラブル端末３０のすべてを選択する（ステップＳ１５）。
【００７６】
優先度管理部２０３は、すべてのウェアラブル端末３０の識別情報を、運転制御部２０４と位置取得部２０６とに送信する。
【００７７】
運転制御部２０４、位置取得部２０６のそれぞれは、優先度管理部２０３からすべてのウェアラブル端末３０の識別情報を受信する。
【００７８】
位置取得部２０６は、すべてのウェアラブル端末３０の識別情報を位置特定システム４０に送信する（ステップＳ１６）。
【００７９】
位置特定システム４０は、位置取得部２０６からすべてのウェアラブル端末３０の識別情報を受信する（ステップＳ１７）。
【００８０】
位置特定システム４０は、受信したすべてのウェアラブル端末３０の識別情報のそれぞれに対応するウェアラブル端末３０の有効範囲内における位置を特定する（ステップＳ１８）。
【００８１】
位置特定システム４０は、特定したすべてのウェアラブル端末３０の位置を、位置取得部２０６と変動量判定部２０７とに送信する（ステップＳ１９）。
【００８２】
位置取得部２０６、変動量判定部２０７のそれぞれは、位置特定システム４０からすべてのウェアラブル端末３０の位置を受信する（ステップＳ２０）。
【００８３】
変動量判定部２０７は、受信したウェアラブル端末３０の位置に基づいて、ウェアラブル端末３０のそれぞれの変動量を算出する。
【００８４】
変動量判定部２０７は、算出したウェアラブル端末３０のそれぞれの変動量が所定の判定しきい値を示す変動量未満であるか否かを判定する（ステップＳ２１）。
【００８５】
例えば、変動量判定部２０７は、記憶部２０５から所定の判定しきい値を示す変動量を読み出す。変動量判定部２０７は、算出したウェアラブル端末３０のそれぞれの変動量と所定の判定しきい値を示す変動量とを比較する。変動量判定部２０７は、算出したウェアラブル端末３０の変動量が所定の判定しきい値を示す変動量未満である場合に、ウェアラブル端末３０を身に着けているユーザを寝たきり状態であると判定する。
【００８６】
また、例えば、変動量判定部２０７は、算出したウェアラブル端末３０の変動量が所定の判定しきい値を示す変動量以上であると判定した場合に、ウェアラブル端末３０を身に着けているユーザを寝たきり状態ではないと判定する。
【００８７】
変動量判定部２０７は、算出したウェアラブル端末３０の変動量が所定の判定しきい値を示す変動量以上である場合（ステップＳ２１においてＮＯ）、ステップＳ１３の処理に進める。
【００８８】
変動量判定部２０７が算出したウェアラブル端末３０の変動量が所定の判定しきい値を示す変動量未満であると判定した場合（ステップＳ２１においてＹＥＳ）、ステップＳ１３、Ｓ１４の処理を行わずに、運転制御部２０４は、所定の判定しきい値を示す変動量未満であると判定したウェアラブル端末３０に関連付けられた嗜好情報と所定の判定しきい値を示す変動量未満であると判定したウェアラブル端末３０の位置とに基づいて、空気調和機２０の運転を制御する（ステップＳ２２）。
なお、上述の空気調和システム１の処理フローは、所定の時間間隔毎に検出されたウェアラブル端末３０に対して繰り返し行われる。
【００８９】
以上、本発明の第三の実施形態による空気調和システム１について説明した。
本発明の第三の実施形態による空気調和システム１において、変動量判定部２０７は、位置取得部２０６が所定時間において取得したウェアラブル端末３０の位置の変位に基づいて、変動量を算出する。変動量判定部２０７は、算出した変動量が所定の判定しきい値を示す変動量未満である場合には、算出した変動量に対応するウェアラブル端末３０を身に着けているユーザが寝たきり状態であると判定し、所定の判定しきい値を示す変動量未満であると判定したウェアラブル端末３０に関連付けられた嗜好情報と所定の判定しきい値を示す変動量未満であると判定したウェアラブル端末３０の位置とに基づいて、空気調和機２０の運転を制御する。
このようにすれば、制御装置２００は、寝たきり状態のユーザに適した条件を優先的に設定して、空気調和機２０の運転を制御することができる。
【００９０】
なお、本発明の第二の実施形態、第三の実施形態による制御装置２００の位置取得部２０６は、位置特定システム４０を含んでいてもよい。
【００９１】
なお、本発明の実施形態による空気調和システム１は、自動車、電車、船舶などの乗り物において実現するものであってもよい。その場合、乗り物を運転する運転者が最も優先度の高いウェアラブル端末３０を身に着け、そのウェアラブル端末３０に関連付けられた空気調和機２０の設定を眠気を防止する設定（例えば、やや寒く感じる低めの温度設定）とすることで、運転者の居眠りを防止することができる。
【００９２】
本発明の実施形態による空気調和システム１は、ウェアラブル端末３０ａ、３０ｂ、３０ｃの３つを備えるものとしたが、それに限定しない。本発明の実施形態による空気調和システム１は、複数のウェアラブル端末であれば、いくつ備えていてもよい。
【００９３】
なお、本発明の実施形態における処理フローは、適切な処理が行われる範囲において、処理の順番が入れ替わってもよい。
【００９４】
本発明における記憶部１０３、２０５、３０３、３０３ａ、３０３ｂ、３０３ｃのそれぞれは、適切な情報の送受信が行われる範囲においてどこに備えられていてもよい。また、記憶部１０３、２０５、３０３、３０３ａ、３０３ｂ、３０３ｃのそれぞれは、適切な情報の送受信が行われる範囲において複数存在しデータを分散して記憶していてもよい。
【００９５】
本発明の実施形態について説明したが、上述のデータ書き込み装置１０、空気調和機２０、ウェアラブル端末３０、位置特定システム４０、制御装置２００のそれぞれは内部に、コンピュータシステムを有していてもよい。そして、上述した処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータがそのプログラムを実行するようにしてもよい。
【００９６】
また、上述のデータ書き込み装置１０、空気調和機２０、ウェアラブル端末３０、位置特定システム４０、制御装置２００のそれぞれが有するコンピュータシステムは、データ書き込み装置１０、空気調和機２０、ウェアラブル端末３０、位置特定システム４０、制御装置２００とで一部または全部が共通であってもよい。
【００９７】
また、上記プログラムは、前述した機能の一部を実現してもよい。さらに、上記プログラムは、前述した機能をコンピュータシステムにすでに記録されているプログラムとの組み合わせで実現できるファイル、いわゆる差分ファイル（差分プログラム）であってもよい。
【００９８】
本発明のいくつかの実施形態を説明したが、これらの実施形態は、例であり、発明の範囲を限定しない。これらの実施形態は、発明の要旨を逸脱しない範囲で、種々の追加、省略、置き換え、変更を行ってよい。
【符号の説明】
【００９９】
１・・・空気調和システム
１０・・・データ書き込み装置
２０・・・空気調和機
３０・・・ウェアラブル端末
３０ａ・・・第１ウェアラブル端末
３０ｂ・・・第２ウェアラブル端末
３０ｃ・・・第３ウェアラブル端末
１０１、２０１、３０１、３０１ａ、３０１ｂ、３０１ｃ・・・通信部
１０２・・・空気調和機設定部
１０３、２０５、３０３、３０３ａ、３０３ｂ、３０３ｃ・・・記憶部
２００・・・制御装置
２０２・・・端末検出部
２０３・・・優先度管理部
２０４・・・運転制御部
２０６・・・位置取得部
２０７・・・変動量判定部
３０２、３０２ａ、３０２ｂ、３０２ｃ・・・状態情報取得部
３０２１、３０２１ａ、３０２１ｂ、３０２１ｃ・・・温度取得部
３０２２、３０２２ａ、３０２２ｂ、３０２２ｃ・・・心拍数取得部
３０２３、３０２３ａ、３０２３ｂ、３０２３ｃ・・・呼吸数取得部
【図１】
2017150702.tif 000003
【図２】
2017150702.tif 000004
【図３】
2017150702.tif 000005
【図４】
2017150702.tif 000006
【図５】
2017150702.tif 000007
【図６】
2017150702.tif 000008
【図７】
2017150702.tif 000009
【図８】
2017150702.tif 000010
【図９】
2017150702.tif 000011
【図１０】
2017150702.tif 000012
【図１１】
2017150702.tif 000013
【図１２】
2017150702.tif 000014
【図１３】
2017150702.tif 000015